(57)【要約】【課題】  ＩＣメモリに記録されたデータ量の少ない映像音声を編集することで、ディスクに記録されている高画質、高音質の映像音声を自動編集する。【解決手段】  映像音声の画質および音質を出来るだけ維持した圧縮方式でディスクに記録し、同じ映像音声をそれより高い圧縮率の圧縮方式でＩＣメモリに記録する。記録された映像音声の編集はＩＣメモリに記録されたデータに対して行い、その編集情報をもとにディスクに記録された映像音声を自動編集する。【特許請求の範囲】
【請求項１】
映像音声データおよび管理情報を記録するディスクと、映像音声データおよび管理情報を記録するＩＣメモリと、ディスクとＩＣメモリに映像音声データおよび管理情報を記録する手段と、ディスクとＩＣメモリに記録される映像音声データおよび管理情報を読み出す手段を備える記録再生装置において、
映像音声の画質および音質を維持した映像音声データの圧縮を行う第１の圧縮手段と、前記第１の圧縮手段より高い圧縮率で映像音声データの圧縮を行う第２の圧縮手段を有し、前記ディスクは第１の圧縮手段で圧縮した映像音声データを記録するとともに、前記ＩＣメモリは該映像音声データを第２の圧縮手段で圧縮して記録することを特徴とする記録再生装置。
【請求項２】
前記読み出し手段がＩＣメモリから読み出した映像音声データを伸張する手段と、伸張された映像音声データを表示出力する手段と、ＩＣメモリに記録されている映像音声データを編集する手段と、編集後の管理情報をＩＣメモリに記録する手段を有し、該管理情報の記録手段は、記録されている映像音声データが編集された場合、編集後の管理情報を生成してＩＣメモリに記録することを特徴とする請求項１に記載の記録再生装置。
【請求項３】
ＩＣメモリに記録されている編集後の管理情報をディスクに記録する手段を有し、該手段は前記ＩＣメモリから読み出された管理情報をもとに、ＩＣメモリに対して行われた編集内容と同じ編集内容になるように、前記ディスクから読み出された管理情報を編集し、編集後の管理情報をディスクに記録することを特徴とする請求項１に記載の記録再生装置。
【請求項４】
前記ディスクから読み出された映像音声データを伸張する手段と、伸張された映像音声データをディスクに記録されていた圧縮率より高い圧縮率で圧縮する第２の圧縮手段と、前記ディスクから読み出された管理情報をＩＣメモリに記録する管理情報に変換する手段と、該変換された管理情報と前記第２の圧縮手段で圧縮された映像音声データをＩＣメモリに記録する手段を有し、該手段はディスクに記録されている内容と同じ映像音声データを前記第２の圧縮手段によりより高い圧縮率のデータに変換してＩＣメモリに記録することを特徴とする請求項１に記載の記録再生装置。
【請求項５】
映像音声データを記録するディスクとディスクを収納するケースと映像音声データを記録するＩＣメモリとを備え、該ＩＣメモリはケースに着脱自在に配設され、前記ＩＣメモリとディスクは同じ内容の映像音声データが記録されるとともに、ＩＣメモリに記録される映像音声データはディスクに記録される映像音声データより高い圧縮率で記録されていることを特徴とする記録媒体。
【発明の詳細な説明】
【技術分野】
【０００１】
本発明は、映像音声を記録再生、及び記録した映像音声を編集する記録再生装置に関するものである。
【背景技術】
【０００２】
従来、映像音声を記録再生する装置として、ＶＣＲ（Ｖｉｄｅｏ  Ｃａｓｓｅｔｔｅ  Ｒｅｃｏｒｄｅｒ）やＤＶＤ（Ｄｉｇｉｔａｌ  Ｖｅｒｓａｔｉｌｅ  Ｄｉｓｃ）レコーダー、及びＨＤＤ（Ｈａｒｄ  Ｄｉｓｃ  Ｄｒｉｖｅ）レコーダー等がある。
【０００３】
ＶＣＲに記録された映像音声データの編集は、他の記録メディアに選択的にダビングすることで実現していた。
【０００４】
また、ＤＶＤレコーダーやＨＤＤレコーダーに記録された映像音声データの編集は、ＶＣＲと同様に他の記録メディアにダビングして実現する事も可能だが、管理情報を書き換えるだけで編集を行うことも可能となっている。
【０００５】
また、ディスクメディアにＩＣメモリを取り付ける従来技術として、記録時間やタイトル等、記録内容に関するインデックス情報を記録する記録再生装置や、ＩＣメモリと非接触でデータの送受信ができるアンテナ素子とを組み合わせたＲＦＩＤ（Ｒａｄｉｏ  Ｆｒｅｑｕｅｎｃｙ  Ｉｄｅｎｔｉｆｉｃａｔｉｏｎ）タグを用いて非接触でインデックス情報の送受信を可能とした記録再生装置が、特許文献１等で提案されている。
【０００６】
また、記録内容に関するインデックス情報ではなく、より内容の把握を容易にするために、記録内容に関する音声情報をＲＦＩＤタグに記録する記録再生装置が特許文献２等で提案されている。
【特許文献１】特開平１０−２２２８９０号公報
【特許文献２】特開２００２−２５１８６１号公報
【発明の開示】
【発明が解決しようとする課題】
【０００７】
ＶＣＲはテープ媒体であるためランダムアクセス性が悪く、必要なシーンを探し出したりダビングするといった編集作業には大きな手間と時間を必要としていた。
【０００８】
ＶＣＲと比較するとＤＶＤレコーダーやＨＤＤレコーダーはランダムアクセス性に優れ、必要なシーンの検索や編集作業が比較的スムーズに行えるようになっているが、今後、地上デジタル放送の普及等で映像のハイビジョン化が進み、記録される映像音声のデータ量は増大していく方向にあり、データ量が増加する分必要なシーンの検索や編集作業がスムーズに行えなくなる可能性がある。
【０００９】
また、例えばディスクムービーで撮影した映像音声を編集する場合、ハードウェアの制約から編集に必要なワークメモリ領域やファームウェアの格納領域が限られるため、充実した編集機能を実装するのは困難で、ＰＣ（Ｐｅｒｓｏｎａｌ  Ｃｏｍｐｕｔｅｒ）の大きなワークメモリ領域と充実した編集ソフトウェアを使って編集したいといった要望がある。
【００１０】
しかし、ＰＣで編集を行うに場合においてもハイビジョン化等で映像音声のデータ量が増大するとスムーズに編集作業が行えなくなる可能性がある。
【００１１】
また、記録内容を容易に把握可能にするためにＩＣメモリやＲＦＩＤタグを取り付け、そこにインデックス情報や音声情報を書き込む記録再生装置であっても、そこに記録されている情報だけを用いて映像音声の編集作業を行う事はできない。
【００１２】
そこで、本発明は編集作業が容易に実行できる装置を提供する。
【課題を解決するための手段】
【００１３】
本発明の記録再生装置は、前記課題を解決するために、映像音声データおよび管理情報を記録するディスクと、映像音声データおよび管理情報を記録するＩＣメモリと、ディスクとＩＣメモリに映像音声データおよび管理情報を記録する手段と、ディスクとＩＣメモリに記録される映像音声データおよび管理情報を読み出す手段を備える記録再生装置において、
映像音声の画質および音質を維持した映像音声データの圧縮を行う第１の圧縮手段と、前記第１の圧縮手段より高い圧縮率で映像音声データの圧縮を行う第２の圧縮手段を有し、前記ディスクは第１の圧縮手段で圧縮した映像音声データを記録するとともに、前記ＩＣメモリは該映像音声データを第２の圧縮手段で圧縮して記録することを特徴としている。
【００１４】
上記の構成によれば、高画質、高音質の映像音声をディスクに記録することができ、同時に編集作業がスムーズに行えるデータ量の少ない映像音声をＩＣメモリに記録することができる。
【００１５】
本発明の記録再生装置は、前記課題を解決するために、前記読み出し手段がＩＣメモリから読み出した映像音声データを伸張する手段と、伸張された映像音声データを表示出力する手段と、ＩＣメモリに記録されている映像音声データを編集する手段と、編集後の管理情報をＩＣメモリに記録する手段を有し、該管理情報の記録手段は、記録されている映像音声データが編集された場合、編集後の管理情報を生成してＩＣメモリに記録することを特徴としている。
上記の構成によれば、ＩＣメモリに記録されたデータ量の少ない映像音声に対して編集を行うので、編集作業をスムーズに行うことが可能となる。
【００１６】
本発明の記録再生装置は、前記課題を解決するために、ＩＣメモリに記録されている編集後の管理情報をディスクに記録する手段を有し、該手段は前記ＩＣメモリから読み出された管理情報をもとに、ＩＣメモリに対して行われた編集内容と同じ編集内容になるように、前記ディスクから読み出された管理情報を編集し、編集後の管理情報をディスクに記録することを特徴としている。
【００１７】
上記の構成によれば、ＩＣメモリに記録された編集後の管理情報をもとに、自動でディスクに記録された映像音声を編集することができる。
【００１８】
本発明の記録再生装置は、前記課題を解決するために、前記ディスクから読み出された映像音声データを伸張する手段と、伸張された映像音声データをディスクに記録されていた圧縮率より高い圧縮率で圧縮する第２の圧縮手段と、前記ディスクから読み出された管理情報をＩＣメモリに記録する管理情報に変換する手段と、該変換された管理情報と前記第２の圧縮手段で圧縮された映像音声データをＩＣメモリに記録する手段を有し、該手段はディスクに記録されている内容と同じ映像音声データを前記第２の圧縮手段によりより高い圧縮率のデータに変換してＩＣメモリに記録することを特徴としている。
【００１９】
上記の構成によれば、ＩＣメモリがない状態で記録されたディスクの内容を、より高い圧縮率の圧縮方式に変換してＩＣメモリにコピーすることができる。
【００２０】
本発明の記録媒体は、前記課題を解決するために、映像音声データを記録するディスクとディスクを収納するケースと映像音声データを記録するＩＣメモリとを備え、該ＩＣメモリはケースに着脱自在に配設され、前記ＩＣメモリとディスクは同じ内容の映像音声データが記録されるとともに、ＩＣメモリに記録される映像音声データはディスクに記録される映像音声データより高い圧縮率で記録されていることを特徴としている。
【００２１】
上記の記録媒体を用いれば、高画質、高音質の映像音声データがディスクに記録される。そして、同時に編集作業がスムーズに行えるデータ量の少ない映像音声データがＩＣメモリに記録されるので、更にＩＣメモリを取り出して他の装置で再生および編集を行うことが可能となる。
【発明の効果】
【００２２】
本発明は編集作業が容易に実行できる記録再生装置を提供することができる。また、高画質、高音質のデータを記録できるディスクとデータ量の少ない映像音声データを記録するＩＣメモリを備える記録媒体は、編集作業が容易に行なえる。
【発明を実施するための最良の形態】
【００２３】
本発明の実施形態について図１および図２を用いて説明する。
【００２４】
図１に、本発明の記録再生装置で用いる記録媒体の概要図を示す。カートリッジ２１内にはディスク１９が格納されており、更にＩＣメモリ２０が着脱可能な構成となっている。
【００２５】
図２は、本発明の記録再生装置のブロック図である。
カートリッジ２１にＩＣメモリ２０を取り付けた状態の記録媒体を本発明に係る記録再生装置１にセットすると、ディスク１９はピックアップ等を含むディスク記録再生部７を介してデータの読み書きが可能となり、ＩＣメモリ２０はＩＣメモリ記録再生部１１を介してデータの読み書きが可能となる。
【００２６】
次に図２を用いて本発明の記録再生装置の動作について説明する。
まず始めに記録時の動作について説明する。
【００２７】
記録再生装置１が記録する映像信号は映像信号入力処理部２に入力され、フィルタリング等の前処理が行われた後、第１の映像圧縮伸張部４と、スイッチ１４を介して第２の映像圧縮伸張部８に入力される。この時、スイッチ１４はＡ側に接続されている。
【００２８】
第１の映像圧縮伸張部４では、画質を出来るだけ落とさないような圧縮処理が行われ、第２の映像圧縮伸張部８では、画質をある程度犠牲にして高圧縮率の圧縮処理が行われる。
【００２９】
一方、記録する音声信号は音声信号入力処理部３に入力され、フィルタリング等の前処理が行われた後、第１の音声圧縮伸張部５と、スイッチ１５を介して第２の音声圧縮伸張部９に入力される。この時、スイッチ１５はＡ側に接続されている。
【００３０】
第１の音声圧縮伸張部５では、音質を出来るだけ落とさないような圧縮処理が行われ、第２の音声圧縮伸張部９では、音質をある程度犠牲にして高圧縮率の圧縮処理が行われる。
【００３１】
第１の映像圧縮伸張部４で圧縮処理された映像信号と、第１の音声圧縮伸張部５で圧縮処理された音声信号は、第１の多重分離部６で多重化され、ディスク記録再生部７を介してディスク１９に記録される。
【００３２】
一方、第２の映像圧縮伸張部８で圧縮処理された映像信号と、第２の音声圧縮伸張部９で圧縮処理された音声信号は、第２の多重分離部１０で多重化され、ＩＣメモリ記録再生部１１を介してＩＣメモリ２０に記録される。
【００３３】
尚、記録された映像音声に関する管理情報は、システムコントロール部１８で一括管理されており、映像音声の記録終了後、または記録の合間にディスク記録再生部７及びＩＣメモリ記録再生部１１を介してディスク１９及びＩＣメモリ２０に記録される。
【００３４】
次に、ディスク１９からの再生時の動作について説明する。
システムコントロール部１８は、ディスク記録再生部７を介してディスク１９から目的の映像音声信号の再生に必要な管理情報を取得し、ディスク記録再生部７を制御してディスク１９に記録されている映像音声データを順番に再生する。
【００３５】
再生された映像音声データは、第１の多重分離部６で映像信号と音声信号に分離される。
分離された映像信号は、第１の映像圧縮伸張部４で伸張され、スイッチ１６及び映像信号出力処理部１２を介してモニタ等に出力される。この時、スイッチ１６はＡ側に接続されている。
【００３６】
一方、分離された音声信号は、第１の音声圧縮伸張部５で伸張され、スイッチ１７及び音声信号出力処理部１３を介してスピーカー等に出力される。この時、スイッチ１７はＡ側に接続されている。
【００３７】
次に、ＩＣメモリ２０からの再生時の動作について説明する。
システムコントロール部１８は、ＩＣメモリ記録再生部１１を介してＩＣメモリ２０から目的の映像音声信号の再生に必要な管理情報を取得し、ＩＣメモリ記録再生部１１を制御してＩＣメモリ２０に記録されている映像音声データを順番に再生する。
【００３８】
再生された映像音声データは、第２の映像音声多重分離部１０で映像信号と音声信号に分離される。
【００３９】
分離された映像信号は、第２の映像圧縮伸張部８で伸張され、スイッチ１６及び映像信号出力処理部１２を介してモニタ等に出力される。この時、スイッチ１６はＢ側に接続されている。
【００４０】
一方、分離された音声信号は、第２の音声圧縮伸張部９で伸張され、スイッチ１７及び音声信号出力処理部１３を介してスピーカー等に出力される。この時、スイッチ１７はＢ側に接続されている。
【００４１】
次にディスクカートリッジ２１からＩＣメモリ２０を取り外して、ＰＣ上で編集を行い、その編集情報をディスク１９にフィードバックする方法について説明する。
カートリッジ２１から取り外されたＩＣメモリ２０は、専用のカードスロットまたはメディアコンバータ等を介してＰＣに接続され、予めＰＣにインストールされているＩＣメモリ２０に記録されている映像音声データを再生したり編集するソフトウェアを用いて再生順序の変更や、不要なシーンの削除等の編集が行われ、編集後の管理情報がＩＣメモリ２０の管理情報領域に書き込まれる。
【００４２】
次にＩＣメモリ２０をＰＣから取り外してカートリッジ２１に取り付け、本発明の記録再生装置にセットし、ＩＣメモリ２０の内容をディスク１９にフィードバックする命令をシステムコントロール部１８に対して発行する。
【００４３】
命令を受けるとシステムコントロール部１８は、ＩＣメモリ２０とディスク１９からそれぞれの管理情報をＩＣメモリ記録再生部１１及びディスク記録再生部７を介して読み出し、ＩＣメモリ２０から読み出された管理情報をもとに、ディスク１９から読み出された管理情報を変更して、変更後の管理情報をディスク記録再生部７を介してディスク１９に記録する。
【００４４】
尚、ＰＣを用いずに本発明の記録再生装置自体の編集機能を用いて編集作業を行ってもよい。この場合、データ量の少ないＩＣメモリ２０に記録されている映像音声を編集する事ができるため必要なワークメモリ領域が少なくて済み、ディスク１９に記録されている映像音声を編集するよりもスムーズに編集作業が行える。
【００４５】
次にディスク１９に記録されている映像音声データを再圧縮してＩＣメモリ２０にコピーする方法について説明する。
ブランクまたは内容を削除しても構わないＩＣメモリ２０をカートリッジ２１に取り付け、本発明の記録再生装置にセットし、ディスク１９の内容をＩＣメモリ２０にコピーする命令をシステムコントロール部１８に対して発行する。
【００４６】
命令を受けるとシステムコントロール部１８は、ディスク１９から管理情報をディスク記録再生部７を介して読み出し、管理情報をもとにディスク１９に記録されている映像音声データを再生する。
【００４７】
再生された映像音声データは、第１の映像音声多重分離部６で映像信号と音声信号に分離される。
【００４８】
分離された映像信号は、第１の映像圧縮伸張部４で伸張され、スイッチ１４を介して第２の映像圧縮伸張部８に入力されて再圧縮処理される。この時、スイッチ１４はＢ側に接続されている。
【００４９】
一方、分離された音声信号は、第１の音声圧縮伸張部５で伸張され、スイッチ１５を介して第２の音声圧縮伸張部９に入力されて再圧縮処理される。この時、スイッチ１５はＢ側に接続されている。
【００５０】
第２の映像圧縮伸張部８で再圧縮処理された映像信号と、第２の音声圧縮伸張部９で再圧縮処理された音声信号は、第２の映像音声多重分離部１０で多重化され、ＩＣメモリ記録再生部１１を介してＩＣメモリ２０に記録される。
【００５１】
尚、管理情報はディスク１９から読み出された管理情報をもとにシステムコントロール部１８でＩＣメモリ２０用として新たに生成され、ＩＣメモリ記録再生部１１を介してＩＣメモリ２０に記録される。
【００５２】
以上構成よりなる記録再生装置１によれば、高画質、高音質の映像音声をディスク１９に記録することができ、同時に編集作業がスムーズに行えるデータ量の少ない映像音声をＩＣメモリ２０に記録することができ、ＩＣメモリ２０に記録されたデータ量の少ない映像音声に対して編集を行うので、編集作業をスムーズに行うことが可能となる。
【００５３】
また、ＩＣメモリ２０に記録された編集後の管理情報をもとに、自動でディスク１９に記録された映像音声を編集することができるため、直接ディスクに記録されている映像音声を編集する必要がなくなる。
【００５４】
また、ＩＣメモリがない状態で記録されたディスク１９の内容を、より高い圧縮率の圧縮方式に変換してＩＣメモリにコピーすることができるため、ＩＣメモリがない状態で記録されたディスクについても、ＩＣメモリにコピーされたデータ量の少ない映像音声を編集に使用することが可能となる。
【００５５】
また、記録媒体は、高画質、高音質の映像音声をディスク１９に記録することができ、同時に編集作業がスムーズに行えるデータ量の少ない映像音声をＩＣメモリ２０に記録することができ、更にＩＣメモリ２０はカートリッジ２１から取り出して他の装置で再生および編集を行うことができる。
【図面の簡単な説明】
【００５６】
【図１】本発明の記録再生装置で用いる記録媒体の概要図
【図２】本発明の記録再生装置のブロック図
【符号の説明】
【００５７】
１  本発明の記録再生装置
２  映像信号入力処理部
３  音声信号入力処理部
４  第１の映像圧縮伸張部
５  第１の音声圧縮伸張部
６  第１の多重分離部
７  ディスク記録再生部
８  第２の映像圧縮伸張部
９  第２の音声圧縮伸張部
１０  第２の多重分離部
１１  ＩＣメモリ記録再生部
１２  映像信号出力処理部
１３  音声信号出力処理部
１４  スイッチ
１５  スイッチ
１６  スイッチ
１７  スイッチ
１８  システムコントロール部
１９  ディスク
２０  ＩＣメモリ
２１  カートリッジ
【図１】
2005259196.tif 000002
【図２】
2005259196.tif 000003